(57)【要約】      （修正有）【課題】投影装置の設置面が小さい場合にも、画像の投影面上に安定して設置することができる投影装置を提供する。【解決手段】設置時に使用する設置面１２が設けられた筐体４を備え、筐体４が設置面１２を使用して設置された場合に、投影装置２の重心から下方へ延びる鉛直線が設置面１２内を通過する。さらに、画像の非投影時に、筐体４の前面に設けられた投影窓８を保護する収納位置に位置し、画像の投影時に、投影窓８を露出させると共に、投影装置２の重心位置を設置面１２に近づける投影位置に位置する保護部材を備える。【選択図】図１
2010139613.tif 000002
【特許請求の範囲】
【請求項１】
設置時に使用する設置面が設けられた筐体を備え、
前記筐体が前記設置面を使用して設置された場合に、該投影装置の重心から下方へ延びる鉛直線が前記設置面内を通過することを特徴とする投影装置。
【請求項２】
画像の非投影時に、前記筐体の前面に設けられた投影窓を保護する収納位置に位置し、
前記画像の投影時に、前記投影窓を露出させると共に該投影装置の重心位置を前記設置面に近づける投影位置に位置する保護部材を備えることを特徴とする請求項１記載の投影装置。
【請求項３】
前記保護部材は、
前記投影位置に位置する場合に、前記設置面を使用して設置された前記筐体を補助的に支持することを特徴とする請求項２記載の投影装置。
【請求項４】
前記保護部材は、
前記投影位置に位置する場合に、前記投影窓から投影された画像を反射させる反射部材を備えることを特徴とする請求項２記載の投影装置。
【請求項５】
前記保護部材は、
前記投影位置に位置する場合に、前記保護部材の重心から下方へ延びる鉛直線が前記設置面内を通過することを特徴とする請求項４記載の投影装置。
【請求項６】
前記筐体の内部下方に重量物を収容していることを特徴とする請求項１乃至５の何れか一項に記載の投影装置。
【請求項７】
前記設置面が接する面は、
前記画像が投影される面と同一平面であることを特徴とする請求項１乃至６の何れか一項に記載の投影装置。
【請求項８】
前記筐体が設置された場合に、前記筐体を支持する付属部材を備えることを特徴とする請求項１乃至７の何れか一項に記載の投影装置。
【発明の詳細な説明】
【技術分野】
【０００１】
本発明は、画像を投影する投影装置に関するものである。
【背景技術】
【０００２】
装置を設置している面上に画像を投影することができる可搬型の画像投影装置が知られている（例えば、特許文献１参照）。
【特許文献１】特開２００７−３１０１９４号公報
【発明の開示】
【発明が解決しようとする課題】
【０００３】
ところで、可搬型の画像投影装置においては、可搬性を高めるために装置が小型化されている。このような投影装置を、例えば特許文献１の図２に示されるように、机等の上に直立するようにして設置した場合には、投影装置の設置面が小さいために安定して設置することができなかった。
【０００４】
本発明の課題は、投影装置の設置面が小さい場合にも、画像の投影面上に安定して設置することができる投影装置を提供することである。
【課題を解決するための手段】
【０００５】
本発明の投影装置は、設置時に使用する設置面が設けられた筐体を備え、前記筐体が前記設置面を使用して設置された場合に、該投影装置の重心から下方へ延びる鉛直線が前記設置面内を通過することを特徴とする。
【発明の効果】
【０００６】
本発明の投影装置によれば、投影装置の設置面が小さい場合にも、画像の投影面上に安定して設置することができる。
【発明を実施するための最良の形態】
【０００７】
以下、図面を参照して本発明の第１の実施の形態に係る投影装置について説明する。図１は、この実施の形態に係る投影装置としてのプロジェクタ２の画像投影時の外観を示す斜視図である。図１に示すように、プロジェクタ２は、投影面Ａ上に直立して設置された状態で、投影面Ａ上に投影画像Ｐを投影する。このプロジェクタ２は、内部に投影ユニット２０（図３参照）が収容されている筐体４を備えている。筐体４の前面６には投影窓８が設けられており、投影ユニット２０から投影される画像は、この投影窓８から筐体４の前方へ向かって投射され、投影面Ａ上に投影画像Ｐを結像する。また、筐体４の上面１０には、プロジェクタ２の機能設定等を行う操作部が設けられている。なお、この実施の形態に係るプロジェクタ２においては、筐体４の下面１２が、投影面Ａに接する設置面として機能している。
【０００８】
図１に示すように、プロジェクタ２は、筐体４の前面６上に、投影窓８を保護する保護部材として機能するカバー１４を備えている。このカバー１４は、筐体４の前面６の幅方向の両端近傍に配置された一対のスライドレール１６，１６を介して、上下方向にスライド自在に設置されている。図１に示すように、プロジェクタ２によって画像の投影を行う場合には、カバー１４を筐体４の前面６の最下方までスライド移動させて、投影窓８を露出させる投影位置に配置してカバー１４の下端面を投影面Ａに当接させる。このような位置にカバー１４を配置することにより、投影面Ａ上に設置されている筐体４を、カバー１４を用いて補助的に支持することができる。
【０００９】
図２は、この実施の形態に係るプロジェクタ２の画像の非投影時の外観を示す斜視図である。図２に示すように、筐体４の前面６に取り付けられたカバー１４は、前面６上を最上方までスライド移動した状態になっており、前面６に設置された投影窓８を完全に閉塞して保護する収納位置に位置している。このようにして投影窓を保護することにより、プロジェクタ２の使用者はプロジェクタ２を安心して携帯することができる。
【００１０】
図３は、この実施の形態に係るプロジェクタ２の筐体４の内部の構成を示す正面断面図である。なお、筐体4内に収容された投影ユニット２０も断面図によって示している。図３に示すように、投影ユニット２０は、筐体4に対して固定されたユニット筐体２１を備えており、このユニット筐体２１の内部には、ＬＥＤ２２、集光レンズ群２４、ＰＢＳ（偏光ビームスプリッタ）２６、ノーマリブラックタイプのＬＣＯＳ（反射型液晶素子）２８、投影レンズ群３０及びミラー３２が配置されている。
【００１１】
ＬＥＤ２２から射出された投影光は、集光レンズ群２４によって平行光に変換された後にＰＢＳ２６に入射し、入射光の進行方向に対して４５°の角度で設けられた偏光分離膜２６ａに入射する。入射した投影光のうち、Ｓ偏光のみが偏光分離膜２６ａによって反射され、ＰＢＳ２６の下面から下方に向かって射出された後に、ＰＢＳ２６の下方に設置された画像表示部としてのＬＣＯＳ２８に入射する。一方、偏光分離膜２６ａを透過したＰ偏光は、黒色処理等の無反射処理が施されたＰＢＳ２６の側面に入射して吸収される。
【００１２】
ＬＣＯＳ２８に入射した光は、ＬＣＯＳ２８により反射され、ＰＢＳ２６に再度入射する。ここで、ＬＣＯＳ２８を構成する図示しない液晶層は、電圧が印加されると入射光に対して位相板として機能する。従って、ＬＣＯＳ２８から射出する光のうち、液晶層により電圧が印加された画素領域を透過した光はＳ偏光からＰ偏光に変換される。一方、ＬＣＯＳ２８から射出する光のうち、液晶層により電圧が印加されていない画素領域を透過した光はＳ偏光のまま進行する。
【００１３】
ＬＣＯＳ２８から射出してＰＢＳ２６に再度入射した光のうち、ＬＣＯＳ２８の電圧が印加された画素領域を透過したＰ偏光のみが偏光分離膜２６ａを透過し、Ｓ偏光と分離される。当該Ｐ偏光は、ＰＢＳ２６から上方へ向かって射出された後に、投影用光学像を投影するための投影レンズ群３０を透過し、光学像の投影方向を偏向させるためのミラー３２において反射された後に投影ユニット２０から射出され、プロジェクタ２の筐体４の前面に設けられた投影窓８からプロジェクタ２の前方へ投射される。なお、ミラー３２は、投影面Ａに結像される投影画像Ｐに対して台形補正を施すことができるように、所定の曲率を有する曲面ミラーから構成されている。
【００１４】
また、図３に示すように、筐体４の内部下方には、ユニット筐体２１内のＬＥＤ２２等に電力を供給する電源３４が設けられている。電源３４のような重量物を筐体４の内部下方に配置すると、プロジェクタ２の重心位置が下方へ移動するため、設置時のプロジェクタ２をより安定させることができる。また、電源３４を筐体４の内部に配置することにより、筐体４の前面６にカバー１４を設けたことによってプロジェクタ２の前方へ移動した重心位置を、筐体４の中心よりに移動させて、当該重心から下方へ延びる鉛直線が筐体４の設置面（下面１２）内を通過するようにすることができる。プロジェクタ２の重心をこのように移動することにより、プロジェクタ２を安定して設置することができる。
【００１５】
この実施の形態に係るプロジェクタ２によれば、筐体４の前面６上に、上下方向にスライド自在に設けられたカバー１４を備えているため、画像の投影を行うべく投影面Ａ上に筐体４を設置した時に、カバー１４を最下方まで移動させて、カバー１４の下端面を投影面Ａに当接させることができる。カバー１４をこのように用いて筐体４を補助的に支持することにより、プロジェクタ２をより安定して設置することが可能となる。また、この実施の形態に係るプロジェクタ２によれば、電源３４などの重量物が筐体４の内部下方に配置されているため、プロジェクタ２の重心位置が下方へ移動すると共に、当該重心から下方へ延びる鉛直線が筐体４の設置面内を通過する。従って、プロジェクタ２を安定して投影面Ａ上に設置することが可能となる。
【００１６】
次に、図４及び図５を参照して本発明の第２の実施の形態に係る投影装置としてのプロジェクタ１０２について説明する。なお、このプロジェクタ１０２は、第１の実施の形態に係るプロジェクタ２が備えるカバー１４とは形状の異なるカバーを備えているが、この点以外は上述のプロジェクタ２が備える構成と同様の構成を備えている。従って、プロジェクタ１０２の説明においては、プロジェクタ２と同様の構成については説明を省略すると共に、同一の符号を用いている。
【００１７】
図４は、プロジェクタ１０２の画像の非投影時の外観を示す斜視図である。図４に示すように、プロジェクタ１０２は、内部に投影ユニット２０を備える筐体１０４を有している。この筐体１０４は、左右各側面の下方に回転軸部１１３を備えており、また、この回転軸部１１３には、筐体１０４の前面を保護する保護部材としてのカバー１１４が回動自在に設置されている。図４に示すように、画像の非投影時には、カバー１１４は、筐体１０４の前面１０６（図５参照）を完全に閉塞する収納位置に位置しており、前面１０６や、前面１０６に設けられた投影窓８（図５参照）を保護している。
【００１８】
一方、プロジェクタ１０２の画像の投影時の外観を示す斜視図である図５に示すように、プロジェクタ１０２によって画像の投影を行う場合には、収納位置に位置するカバー１１４を、回転軸部１１３を中心にして略２７０°回転させて、図５に示す投影位置に配置する。カバー１１４を投影位置に配置すると、筐体１０４の前面１０６に設けられた投影窓８が露出するため、プロジェクタ１０２の前方へ向かって画像の投影を行うことができる。また、カバー１１４が投影位置に配置された状態で筐体１０４を投影面Ａ上に設置すると、カバー１１４が投影面Ａに当接するため、投影面Ａ上に設置された筐体１０４を補助的に支持することができる。
【００１９】
この実施の形態に係るプロジェクタ１０２によれば、カバー１１４を投影位置に配置して、カバー１１４を投影面Ａに当接させることにより、筐体１０４を補助的に支持してプロジェクタ１０２をより安定して設置することができる。
【００２０】
次に、図６〜図９を参照して本発明の第３の実施の形態に係る投影装置としてのプロジェクタ２０２について説明する。図６は、プロジェクタ２０２の画像投影時の外観を示す斜視図である。図６に示すように、投影面Ａ上に設置されたプロジェクタ２０２が備える筐体２０４の前面２０６には投影窓２０８が設けられており、この投影窓２０８を介して投影画像Ｐが投影面Ａ上に投影される。なお、プロジェクタ２０２の機能設定等を行う操作部などは、筐体２０４の背面に配置されている。また、筐体２０４の下面２１２が、設置面として投影面Ａに対して接している。また、筐体２０４の内部の構成は、第１の実施の形態に係るプロジェクタ２が備える筐体４の内部の構成と同様であり、投影ユニット２０及び電源３４が収容されている。
【００２１】
図６に示すように、プロジェクタ２０２は、筐体２０４の左右各側面に配置された一対の支持腕２１６によって支持されるカバー２１４を備えている。支持腕２１６は、一方の端部に挿通された回動軸２１８を介して、筐体２０４の側面に回動自在に設置されている。また、支持腕２１６の他方の端部には、カバー２１４を支持するカバー支持部２２０が設けられている。なお、カバー２１４は、カバー支持部２２０によって支持されている端部の近傍に、カバー２１４の左右方向に伸びるウエイト部２２２（図７参照）を備えている。また、カバー２１４は、内側面２２４上に、投影窓２０８から投射される画像を反射して投影面Ａ上に投影画像Ｐを投影するカバーミラー２２６を備えている。プロジェクタ２０２によって画像の投影を行う場合には、投影窓２０８を露出させると共に、投影窓２０８から投射される画像をカバーミラー２２６によって反射させるべく、カバー２１４を図６に示す投影位置に配置する。なお、カバー２１４が投影位置に配置された場合には、カバー２１４のカバーミラー２２６が設置されている部分が筐体２０４の前方へ突出する状態となるが、後述するように、カバー２１４がウエイト部２２２を備えているため、当該状態は安定して保持される。また、プロジェクタ２０２の筐体２０４のバランスが崩れることもない。
【００２２】
一方、プロジェクタ２０２の画像の非投影時の外観を示す斜視図である図７に示すように、画像の投影を行わない場合には、カバー２１４は、筐体２０４の前面２０６を閉塞する収納位置に配置されて、前面２０６に設置された投影窓２０８を保護している。従って、プロジェクタ２０２の使用者はプロジェクタ２０２を安心して携帯することができる。
【００２３】
次に、図８及び図９を用いてカバー２１４の重心位置について説明する。カバー２１４は、図８における下方側にカバーミラー２２６を備えていると共に、上方側の端部にウエイト部２２２を備えている。従って、図８に示すように、カバー２１４の重心Ｇは、ウエイト部２２２が設けられた端部側に寄った位置に位置している。カバー２１４が収納位置に位置している場合には、重心Ｇが当該位置にあることにより、重心Ｇから下方へ延びる鉛直線が筐体２０４の設置面である下面２１２内を通過する。従って、筐体２０４は収納位置にあるカバー２１４を安定して保持することができる。
【００２４】
一方、プロジェクタ２０２の画像投影時には、図９に示すように、カバー２１４は回動軸２１８を中心として図中における時計回りに回動されて投影位置に配置される。この場合においても、カバー２１４の重心Ｇから下方へ延びる鉛直線は筐体２０４の下面２１２内を通過する。従って、筐体２０４は投影位置にあるカバー２１４を安定して保持することができる。
【００２５】
この実施の形態に係るプロジェクタ２０２によれば、筐体２０４に設置された支持腕２１６によって支持されるカバー２１４を備えていると共に、このカバー２１４の内側面２２４上にカバーミラー２２６を備えているため、投影窓２０８を透過した画像をカバーミラー２２６に反射させて、投影面Ａ上に良好な投影画像を投影することができる。また、この実施の形態に係るプロジェクタ２０２によれば、カバー２１４が一方の端部にウエイト部２２２を備えているため、投影位置に配置されたカバー２１４の重心Ｇから下方へ延びる鉛直線が筐体２０４の下面２１２内を通過する。従って、カバー２１４を投影位置に安定して保持した状態で、筐体２０４を投影面Ａ上に設置することができる。
【００２６】
次に、図１０を参照して本発明の第４の実施の形態に係る投影装置としてのプロジェクタ３０２について説明する。なお、このプロジェクタ３０２は、第１の実施の形態に係るプロジェクタ２と同一の構成を備えているが、プロジェクタ３０２の筐体３０４に対して、筐体３０４を補助的に支持する付属部材が装着される点で異なっている。なお、プロジェクタ３０２は、この点以外は上述のプロジェクタ２が備える構成と同様の構成を備えているため、プロジェクタ３０２の説明においては、プロジェクタ２と同様の構成については説明を省略すると共に、同一の符号を用いている。
【００２７】
図１０は、プロジェクタ３０２の画像投影時の外観を示す斜視図である。図１０に示すように、投影面Ａ上に設置されたプロジェクタ３０２が備える筐体３０４は、筐体３０４の前面上を最下方まで移動したカバー１４によって支持されている。また、筐体３０４の一方の側面には、図示しないコネクタ装着部が設けられており、電源ケーブルやデータ転送ケーブルが接続されたコネクタ３０６が装着されている。このコネクタ３０６は、投影面Ａ上に設置された筐体３０４を補助的に支持できるように、例えば投影面Ａに接する下面へ向かって幅広となるような形状を有している。従って、この実施の形態に係るプロジェクタ３０２によれば、電源ケーブル等が装着されたことによって筐体３０４の重量バランスが変化した場合でも、このような形状を有するコネクタ３０６を装着して、筐体３０４を補助的に支持することにより、投影面Ａ上に筐体３０４を安定して設置することができる。なお、コネクタ３０６によって筐体３０４をより確実に支持すべく、コネクタ３０６の下面に吸盤等を設けて、コネクタ３０６を投影面Ａ上に固定してもよい。
【図面の簡単な説明】
【００２８】
【図１】第１の実施の形態に係るプロジェクタの画像の投影時の外観を示す斜視図である。
【図２】第１の実施の形態に係るプロジェクタの画像の非投影時の外観を示す斜視図である。
【図３】第１の実施の形態に係るプロジェクタの内部の構成を示す断面図である。
【図４】第２の実施の形態に係るプロジェクタの画像の非投影時の外観を示す斜視図である。
【図５】第２の実施の形態に係るプロジェクタの画像の投影時の外観を示す斜視図である。
【図６】第３の実施の形態に係るプロジェクタの画像の投影時の外観を示す斜視図である。
【図７】第３の実施の形態に係るプロジェクタの画像の非投影時の外観を示す斜視図である。
【図８】第３の実施の形態に係るプロジェクタが備えるカバーの重心位置を説明する図である。
【図９】第３の実施の形態に係るプロジェクタが備えるカバーの重心位置を説明する他の図である。
【図１０】第４の実施の形態に係るプロジェクタの画像の投影時の外観を示す斜視図である。
【符号の説明】
【００２９】
２，１０２，２０２，３０２…プロジェクタ、４，１０４，２０４，３０４…筐体、８，２０８…投影窓、１２，２１２…下面、１４，１１４，２１４…カバー、１６…スライドレール、２０…投影ユニット、２１…ユニット筐体、２１６…支持腕、２２２…ウエイト部、Ａ…投影面、Ｇ…重心、Ｐ…投影画像
【図１】
2010139613.tif 000003
【図２】
2010139613.tif 000004
【図３】
2010139613.tif 000005
【図４】
2010139613.tif 000006
【図５】
2010139613.tif 000007
【図６】
2010139613.tif 000008
【図７】
2010139613.tif 000009
【図８】
2010139613.tif 000010
【図９】
2010139613.tif 000011
【図１０】
2010139613.tif 000012